(57)【特許請求の範囲】
【請求項１】
抜き糸部に隣接するヘム部と、ヘム部に隣接してまたは接続部を介して見頃部が一体化された経編地であって、ヘム部または見頃部の少なくとも一方に柄を有し、ヘム部は挿入編成による弾性糸および非弾性糸のルーピングを主体として構成され、非弾性糸が挿入編成されておらず、身頃部は非弾性糸が挿入編成されていることを特徴とする伸縮性柄編地。
【請求項２】
該身頃部と該ヘム部において、編地の経方向の応力指数が１９０〜６９０であることを特徴とする請求項１記載の伸縮性柄編地。
【請求項３】
ジャカード筬で筬の振りを変化させて編成された柄であることを特徴とする請求項１または２記載の伸縮性柄編地。
【発明の詳細な説明】
【０００１】
【発明の属する技術分野】
本発明は、伸縮性があり、ジャカード柄を有する柄編地に関する。
【０００２】
【従来の技術】
伸縮性があり、ジャカード柄を有する柄編地において、従来、抜き糸部と抜き糸部に隣接するヘム部、さらにヘム部に隣接する身頃部とが一体化された編地が製造されており、この編地の抜き糸部の抜き糸を抜くことによりヘム部を有する編地が得られる。このようにして得られた編地を用いてガードルやショーツなどのインナーを製造することにより、裾部の縫い目がなくアウターに響かない製品とすることが可能であり、多くの製品でこの手法が使用されている。
【０００３】
また最近、風合いの改良や吸水性の付与など、機能性の向上を目的として、編地中に綿糸などの非弾性繊維を挿入して交編する手法も用いられているが、これら非弾性繊維を挿入することにより、特にヘム部に違和感が残り、フィット感が良くなく、また、着用時の快適性が良くない製品となっている。
【０００４】
以上の様に、伸縮性があり、ジャカード柄を有し、かつ非弾性繊維が挿入されている経編地で、快適な着用感と、フィット感を合わせ持つ製品を得ることのできる柄編地は、これまで得られていない。
【０００５】
【発明が解決しようとする課題】
本発明は、伸縮性があり、ジャカード柄を有し、かつ非弾性繊維が挿入されている経編地で、快適な着用感と、フィット感を合わせ持つ製品を得ることのできる柄編地を提供することを目的とするものである。
【０００６】
【課題を解決するための手段】
本発明者らは、非弾性糸が交編されたジャカード柄を有する経編地について検討した結果、非弾性糸の使用方法を特定することにより本発明の目的が達成されることを見出し、本発明に到達した。
【０００７】
即ち、本発明は下記の通りである。
【０００８】
１．抜き糸部に隣接するヘム部と、ヘム部に隣接してまたは接続部を介して身頃部が一体化された経編地であって、ヘム部または見頃部の少なくとも一方に柄を有し、ヘム部は挿入編成による弾性糸および非弾性糸のルーピングを主体として構成されていることを特徴とする伸縮性柄編地。
【０００９】
２．該身頃部と該ヘム部において、編地の経方向の応力指数が１９０〜６９０であることを特徴とする上記１記載の伸縮性柄編地。
【００１０】
以下、本発明を詳細に説明する。
【００１１】
本発明の編地は、抜き糸部に隣接するヘム部と、ヘム部に隣接してまたは接続部を介して身頃部が一体化された経編地である。
【００１２】
抜き糸部とは、編地が経方向に分割可能な部分であり、公知の技術により編成可能であるが、一般的には、弾性糸の挿入組織上に、非弾性糸の鎖編みを配置し、編成、染色加工後に非弾性糸の鎖編みを解除することにより、編地が経方向に分割される。
【００１３】
ヘム部とは、身頃部に対し、応力が高くなっている部分である。さらに、ヘム部に隣接してまたは接続部を介して一体化された身頃部には、弾性糸と非弾性糸による地組織あるいは柄組織が編成されており、さらに身頃部には非弾性糸が挿入されている。この場合に用いられる非弾性糸としては、特に限定されるものではなく、任意な糸が使用可能で、例えば、吸湿性、吸水性あるいは伸縮性の制御などを目的として、綿糸、ナイロンなどの非弾性糸を、編目を形成するルーピングおよび／または挿入して、これらの機能を付与する事も可能である。
【００１４】
本発明において、ヘム部は、身頃部よりも応力が高くなっているが、ヘム部と身頃部とに応力差を付与する方法については、公知の方法が利用でき、例えば、ヘム部と身頃部との弾性糸のランナー長を変化させて、ヘム部のランナー長を短くする方法、また、ヘム部の弾性糸を身頃部の弾性糸よりも太い弾性糸を使用する方法、あるいは、ヘム部と身頃部とに同じ弾性糸を使用し、ヘム部のみ複数本配置して、実質的に太い弾性糸を使用したのと同様な効果を得る方法などが挙げられる。
【００１５】
本発明においては、身頃部は非弾性糸が挿入編成されており、ヘム部は挿入編成による弾性糸と非弾性糸のルーピングを主体として編成されており、非弾性糸は挿入編成されていないが、このヘム部において、非弾性糸のルーピングは、ルーピングと挿入を繰り返して編成する場合も含み、少なくとも１完全組織で半分のコース以上がルーピングされていれば、伸縮性に富む編地が得られ、特に全コースとも非弾性糸がルーピングされているのが好ましい。
【００１６】
ヘム部に、非弾性糸の挿入編成を実施しない場合は、フィット感、着用感には優れるが、身頃部とヘム部との境界部にパッカリングが生じる場合があり、着用前の製品の審美性が気になることがある。
【００１７】
ヘム部、身頃部共に非弾性糸が挿入されている場合には、ヘム部の応力と身頃部の応力にかなり大きな応力差を持たせることが可能で、ほぼ任意な応力差の設定が出来るのに対し、本発明の伸縮性柄編地の場合には、ヘム部と、非弾性糸が挿入されている身頃部とでは、ある応力範囲でないとヘム部と身頃部との境界にパッカリングが生じる場合がある。従って、身頃部とヘム部の編地の経方向応力指数が、好ましくは１９０〜６９０、さらに好ましくは２２０〜５２０となるように編地設計を行うことにより、より美しい編地が得られる。
【００１８】
なお、編地の経方向応力指数Ｉは、下記式により求められる。
【００１９】
Ｉ＝｛（ヘム部の経方向応力）／（身頃部の経方向応力）｝×（編地コース／２．５４ｃｍ）
式中、経方向応力は、テンシロン引張試験機を使用し、編地の経方向に巾２．５ｃｍ、把持間隔１０ｃｍ、伸長速度及び戻り速度３００ｍｍ／分の条件で、８０％伸長を３回繰り返し、３回目の８０％伸長時の応力をいう。
【００２０】
また、編地のコースは、通常、ルーペ、デンシメータ等で測定されるが、編目が複雑に入り組んで編目を読み難い編地では、測定結果が実際のコース数より少ない値に出ることがある。このような場合、本発明では、実際のコース数で計算し、６コース１完全の組織では、例えば、ルーペで読みとれる編目数を３倍すれば良い。
【００２１】
本発明の伸縮性柄編地においては、ヘム部または身頃部の少なくとも一方に柄を有しており、ヘム部、身頃部共に柄が形成されていても良い。また、ヘム部にメッシュ調の透かしの多い柄を有することが、本発明の効果が最も発揮できるので好ましい。なお、本発明でいう柄とは、無地以外の編地をいい、ストライプ、格子、花柄など、無地編みとは違った外観を有するものである。
【００２２】
本発明において、接続部は、ヘム部にも身頃部にも属さない部分で、必要に応じてヘム部と身頃部との中間に設けられる。接続部の幅は、好ましくは１０ｃｍ以下、より好ましくは６ｃｍ以下である。また、接続部の応力は、身頃部またはヘム部と同程度、あるいは、身頃部とヘム部との中間のパワーであっても良いが、ヘム部以上の応力を有するものではない。さらに、接続部では、非弾性糸の挿入編成についても任意で、挿入編成がある組織でも、挿入編成が無い組織でも良い。
【００２３】
本発明に用いられる弾性糸としては、ポリウレタン系、ポリエーテルエステル系等の弾性糸が使用可能であり、通常のポリウレタン系弾性糸で、例えば乾式紡糸又は溶融紡糸したものが使用でき、ポリマーや紡糸方法は特に限定されない、弾性糸の太さは２０〜７００ｄｔｅｘが好ましく、３０〜５００ｄｔｅｘがより好ましい。破断伸度は、好ましくは４００％〜１０００％のもので、伸縮性に優れ、染色加工時のプレセット工程の通常処理温度１８０℃近辺で伸縮性を損なわないことが好ましい。
【００２４】
本発明に用いられる非弾性糸としては、特別な制限はなく、ポリエステル、ナイロン、アクリルなどの合成繊維、また、綿、羊毛、麻、等の繊維が使用でき、特に、ポリエステルやナイロンを使用すれば、寸法安定性の良いインナー衣料となり、吸水性や、吸湿性を付与する場合には、綿、キュプラ、レーヨンなどの繊維を使用すればよい。また、混紡、混繊、交撚、あるいは、編機上で交編するなどにより、２種以上の糸を混合して使用することも出来る。使用する糸の糸形態についても任意で、フィラメント糸、スパン糸、あるいは、異型断面糸などでも使用可能である。これらの非弾性糸の太さについては特に限定されないが、好ましくは２０〜１７０ｄｔｅｘ、より好ましくは３０〜１１０ｄｔｅｘであり、綿番手では好ましくは１２０〜３０Ｓクラス、より好ましくは１００Ｓ〜５０Ｓクラスの糸の使用である。編地に、薄地、軽量を求める場合にはなるべく細い糸使いとし、強度向上を求める場合には、なるべく太い糸使いとすればよい。
【００２５】
本発明は、ジャカード機構を有する経編機により製造可能で、例えば、カールマイヤー社製、コンピュータジャカードラッセル機のＲＳＪ４／１などの経編機が使用できる。また、レース編機や、ＲＳＪ４／１などのジャカード編機のフロント側にもう１枚以上の地編み筬を有している経編機を使用することもできる。編機のゲージについては特に限定されないが、２４〜３２ゲージ／２．５４ｃｍの編機の使用が好ましい。
【００２６】
これらのジャカード機構を有する経編機を使用し、所望の柄編成を行う。例えば、ジャカード筬には非弾性糸を配置して柄形成する方法、あるいは、ジャカード筬に弾性糸を配置して柄形成するなど任意の方法が実施でき、地組織として、弾性糸と非弾性糸を組み合わせて、任意な組織により編成する。これらの編成の際、ヘム部では非弾性糸の挿入編みを行わず、身頃部のみ挿入編みとすることにより、本発明の編地が得られる。
【００２７】
本発明の編地は、通常の染色加工により仕上げることが可能で、インナー、アウター用などの衣料の他、カーテンなどの資材にも使用可能である。
【００２８】
【発明の実施の形態】
〔実施例１〕
仕掛け巾１３０インチ（３３０ｃｍ）の２８ゲージ／２．５４ｃｍのコンピュータジャカードラッセル機ＲＳＪ４／１を使用し、図１に示す様な柄の経編地を製造するに当たり、各筬と糸種、編成条件設定を下記のように行った。
【００２９】
なお、図１において、Ａ部は抜き糸部、Ｂ部は柄を有するヘム部で幅１０ｃｍ、Ｃ部は無地の身頃部で幅３５ｃｍである。
【００３０】
Ｊ１（ジャカード筬）：ナイロン３３ｄｔｅｘ／２４ｆ（フィラメント）を使用し、ジャカード筬で柄出し編成する。基本とする編成組織を、０１／１０とし、図１に沿って筬の振りを変化させて柄編成を行った。
【００３１】
Ｌ２：ナイロン３３ｄｔｅｘ／２４ｆを使用し、編成組織を１２／２１／１２／１０／０１／１０とした。なお、編成組織の表現を、ラッセル編機では２倍の数字で行われることもある。
【００３２】
Ｌ３：ロイカ（旭化成株式会社製のポリウレタン弾性糸）７８ｄｔｅｘと１５５ｄｔｅｘを使用し、組織を２２／１１／２２／００／１１／００とした。ここで、ロイカ７８ｄｔｅｘは身頃部（Ｃ部）の筬に糸通しし、ロイカ１５５ｄｔｅｘは、ヘム部（Ｂ部）の筬に糸通しした。この時、ビームにはロイカ７８ｄｔｅｘと、１５５ｄｔｅｘを別々に巻き、２シャフトに分けてセットできるよう編機を改造して使用した。
【００３３】
Ｌ４：綿５０／−Ｓを使用し、組織を００／００／００／１１／１１／１１として、身頃部（Ｃ部）のみに糸通しして編成した。
【００３４】
なお、抜き糸部（Ａ部）は、Ｌ３のロイカの糸通しを糸抜きし、抜き糸部の抜き糸ウェールでロイカが重ならないように配置し、また、Ｊ１のナイロン糸を抜き糸ウェールで鎖編みとして編成した。
【００３５】
以上のような糸配列、組織により図１に示す柄の伸縮性経編地を編成した後、染色、加工を行った。
【００３６】
こうして得られた伸縮性柄編地を用いて、ガードルを縫製したところ、裾（ヘム部）のフィット性が良く、伸縮性があり、さらに、ジャカード柄を有し審美性が良好で、綿糸が交編されていることより、快適な着用感を合わせ持つ製品となった。なお、編地の経方向応力指数は３１２であった。結果を表１に示す。
【００３７】
〔実施例２〕
仕掛け巾１３０インチ（３３０ｃｍ）の２８ゲージ／２．５４ｃｍのコンピュータジャカードラッセル機ＲＳＪ４／１を使用し、図２に示す様な柄の経編地を製造するに当たり、各筬と糸種、編成条件設定を下記のように行った。
【００３８】
なお、図２において、Ａ部は抜き糸部、Ｂ部は幅１０ｃｍのヘム部、Ｃ部は幅３３ｃｍの身頃部、Ｄ部は幅３ｃｍの接続部である。
【００３９】
Ｊ１（ジャカード筬）：ナイロン３３ｄｔｅｘ／２４ｆを使用し、ジャカード筬で柄出し編成する。基本とする編成組織を、０１／１０とし、図２に沿って筬の振りを変化さて柄編成を行った。
【００４０】
Ｌ２：ナイロン３３ｄｔｅｘ／２４ｆを使用し、編成組織を１２／２１／１２／１０／０１／１０とした。
【００４１】
Ｌ３：ロイカ７８ｄｔｅｘを身頃部（Ｃ部）の筬に糸通しし、組織を３３／１１／２２／００／２２／１１とした。
【００４２】
Ｌ４：ロイカ１５５ｄｔｅｘをヘム部（Ｂ部）と接続部（Ｄ部）の筬に糸通しし、組織を２２／１１／２２／００／１１／００とした。
【００４３】
Ｌ５：綿５０／−Ｓを使用し、組織を００／００／００／１１／１１／１１として、身頃部（Ｃ部）のみに糸通しして編成した。
【００４４】
なお、抜き糸部（Ａ部）は、Ｌ４のロイカの糸通しを糸抜きし、抜き糸部の抜き糸ウェールでロイカが重ならないように配置し、また、Ｊ１のナイロン糸を抜き糸ウェールで鎖編みとして編成した。
【００４５】
以上のような糸配列、組織により図２に示す柄の経編地を編成した後、染色、加工を行った。
【００４６】
こうして得られた伸縮性柄編地を使用してガードルを縫製したところ、ヘム部のフィット性が良く、伸縮性があり、パッカリングのない快適な着用感を合わせ持つ製品となった。また、編地の経方向応力指数は４７７であった。
【００４７】
〔実施例３〜６〕
実施例１において、Ｌ３のロイカは７８ｄｔｅｘと１５５ｄｔｅｘの２種があり、別々にビームに巻いて糸通しするが、１５５ｄｔｅｘのロイカのみを表１に示すように変更した以外は、実施例１と同様にしてヘム部の応力の異なる編地を編成した。
【００４８】
得られた編地を、実施例１と同様にして、染色加工を行い、評価を行った。結果を表１に示す。
【００４９】
【表１】
0003911163.tif 000002
〔比較例１〕
実施例１において、Ｌ４の綿糸をヘム部にも糸通しして編成した以外は、実施例１と同様にして染色加工を行った。
【００５０】
得られた編地は、伸縮性が阻害され、ガードルを縫製して着用してもフィット感に欠ける製品であった。
【００５１】
【発明の効果】
本発明の伸縮性柄編地は、伸縮性があり、繊細な柄を有するジャカード柄の表現が可能で、この編地を用いることにより、快適な着用感と、フィット感を合わせ持ち、かつ審美性にも優れる製品が得られる。
【図面の簡単な説明】
【図１】本発明の伸縮性柄編地の一例を示す図である。
【図２】本発明の伸縮性柄編地の他の例を示す図である。
【符号の説明】
Ａ…抜き糸部
Ｂ…ヘム部
Ｃ…身頃部
Ｄ…接続部
【図１】
0003911163.tif 000003
【図２】
0003911163.tif 000004